(57)【要約】【課題】  特定ディレクトリ内の管理情報から複数ディレクトリのコンテンツを特定できる記録媒体、再生装置及び再生方法を提供する。【解決手段】  所定規格に適合した動画データを格納した第１領域と、暗号鍵により暗号化された暗号化データを、動画データ及び暗号化データを識別するため複数のタイトルタイプ情報をもつタイトルサーチポインタテーブルと供に格納した第２領域をもつ記録媒体。【選択図】図１
2008112505.tif 000002
【特許請求の範囲】
【請求項１】
所定規格に適合した動画データを格納した第１領域と、
暗号鍵により暗号化された暗号化データを、前記動画データ及び暗号化データを識別するため複数のタイトルタイプ情報をもつタイトルサーチポインタテーブルと供に格納した第２領域とを具備することを特徴とする記録媒体。
【請求項２】
前記タイトルタイプ情報は、前記タイトルタイプ情報に続くデータのデータ構造の種類を意味することを特徴とする請求項１記載の記録媒体。
【請求項３】
所定規格に適合した動画データを格納した第１領域と、暗号鍵により暗号化された暗号化データを、前記動画データ及び暗号化データを識別するため複数のタイトルタイプ情報をもつタイトルサーチポインタテーブルと供に格納した第２領域をもつ記録媒体から情報を読み取る読取部と、
操作信号が指定するタイトルに従って、前記タイトルサーチポインタテーブル内のタイトルサーチポインタが指定する領域に含まれる、前記動画データ又は前記暗号化データの一方を読み取り、前記暗号化データを再生する場合は、外部から与えられた前記暗号鍵により前記暗号化データを復号して再生する再生部を具備することを特徴とする再生装置。
【請求項４】
前記再生部は、前記タイトルタイプ情報に基づいて前記タイトルタイプ情報に続くデータのデータ構造を解釈することで前記タイトルを再生することを特徴とする請求項３記載の再生装置。
【請求項５】
所定規格に適合した動画データを格納した第１領域と、暗号鍵により暗号化された暗号化データを、前記動画データ及び暗号化データを識別するため複数のタイトルタイプ情報をもつタイトルサーチポインタテーブルと供に格納した第２領域をもつ記録媒体にレーザ光を照射しその反射光に基づき情報を読み取り、
操作信号が指定するタイトルに従って、前記タイトルサーチポインタテーブル内のタイトルサーチポインタが指定する領域に含まれる前記動画データ又は前記暗号化データの一方を読み取り、
前記暗号化データを再生する場合は、外部から与えられた前記暗号鍵により前記暗号化データを復号して再生することを特徴とする再生方法。
【請求項６】
前記タイトルタイプ情報の種類に応じて、前記タイトルタイプ情報に続くデータのデータ構造を解釈して前記タイトルを再生することを特徴とする請求項５記載の再生方法。
【発明の詳細な説明】
【技術分野】
【０００１】
この発明は、暗号鍵により暗号化された情報を格納した記録媒体、再生装置及び再生方法に関する。
【背景技術】
【０００２】
最近、デジタル記録媒体が広く開発され普及してきており、様々な形態のものが知られている。このような記録媒体では、複数のディレクトリを設けることで、複数のコンテンツを格納し再生することが可能である。
【０００３】
特許文献１には、従来のＤＶＤコンテンツをルートディレクトリ直下に複数格納することにより、ユーザは任意のコンテンツを選択し再生することが可能となる技術が開示されている。
【特許文献１】特開２００１−２５８００９公報
【発明の開示】
【発明が解決しようとする課題】
【０００４】
しかし、特許文献１の従来技術では、従来のＤＶＤディスクイメージをルートディレクトリ直下に複数格納することが開示されているが、どのディレクトリがＤＶＤ用のディスクなのかを判断するには、別ディレクトリに格納されたコンテンツテーブル（ＣＴＡＢ）を取得し、ディレクトリ毎に判定しなければならないという問題がある。
【０００５】
本発明は、特定ディレクトリ内の管理情報から複数ディレクトリのコンテンツを特定できる記録媒体、再生装置及び再生方法を提供することを目的とする。
【課題を解決するための手段】
【０００６】
課題を解決するための一実施形態は、
所定規格に適合した動画データを格納した第１領域（１２）と、
暗号鍵により暗号化された暗号化データを、前記動画データ及び暗号化データを識別するため複数のタイトルタイプ情報をもつタイトルサーチポインタテーブル（ＭＴＤ＿ＴＴ＿ＳＲＰＴ：３２）と供に格納した第２領域（１３１）を具備することを特徴とする記録媒体である。
【発明の効果】
【０００７】
特定のディレクトリ（ＭＴＤ＿ＴＳ）内のタイトルサーチポインタテーブル（ＭＴＤ＿ＴＴ＿ＳＲＰＴ：３２）から複数ディレクトリのコンテンツを指定することができる。
【発明を実施するための最良の形態】
【０００８】
以下、この発明の実施の形態について図面を参照して詳細に説明する。
【０００９】
＜本発明の一実施形態に係る記録媒体＞
初めに、本発明が提供する記録媒体の一実施形態を図面を用いて詳細に説明する。図１は、本発明の一実施形態であるマルチタイトルディスクシステムに用いる情報記憶媒体１のボリューム構造の一例を示す構造図である。
【００１０】
同図において、情報記憶媒体１上のボリューム空間は大きく分けて、ＵＤＦとＩＳＯ９６６０のファイルシステムでブリッジ構成されたＵＤＦブリッジのボリューム及びファイル構造１１が配置され、続いて、ＤＶＤビデオ規格で定義されるファイルが格納されるＤＶＤビデオゾーン１２、ＤＶＤビデオ規格で定義されるファイル以外のその他のファイルを格納するＤＶＤアザーズゾーン１３から構成される。また、ＤＶＤアザーズゾーン１３は、さらに、ＭＴＤゾーン１３１、ＭＴＤアザーズゾーン１３２に分けることができる。
【００１１】
ＭＴＤゾーン１３１は、ＭＴＤビデオ１３１０及び任意に１つ以上のＤＶＤビデオＣ２（Ｃ２：Ｃｒｙｐｔｏｍｅｒｉａ  Ｃｉｐｈｅｒ符号化方式により暗号化されたコンテンツ）１３１１から構成されている。ＭＴＤビデオ１３１０は、ＤＶＤビデオ規格同様なデータ構成をとり、ビデオマネージャ（ＶＭＧ）及び１つ以上のビデオタイトルセット（ＶＴＳ）から成り、それぞれ複数のファイルから構成される。
【００１２】
図２は、図１で説明したボリューム構造をディスクイメージで示したもので、シングルレイヤーディスクのボリューム空間の配置例である。ディスク内周側から外周側に向けて、ボリューム及びファイル構造１１、ＤＶＤビデオゾーン１２、ＭＴＤゾーン１３１及びＭＴＤアザーズゾーン１３２の順番に配置される。
【００１３】
＜本発明の一実施形態に係る記録媒体の再生システム＞
次に、本発明の一実施形態に係る記録媒体の再生システムの一例を図面を用いて説明する。図３は、本発明の一実施形態に係るマルチタイトルディスクシステムの一例を示す説明図である。同図において、情報記憶媒体１のディスク中には、複数のタイトルが定義されるＭＴＤコンテンツ１ａ及びＭＴＤコンテンツ内の暗号化されたタイトルに対応したＫｅｙ管理情報１ｂが格納されている。このＫｅｙ管理情報１ｂは、表１に示すように、タイトル番号とコンテンツ番号及びコンテンツ名称を対応させる管理情報であり、鍵情報を取得する場合のユーザへの通知や鍵情報の管理に利用される。またここでは図示していないが、ＤＶＤビデオコンテンツも格納されている。
【００１４】
【表１】
2008112505.tif 000003
【００１５】
プレーヤ２内は、記録媒体にレーザ光を照射しその反射光に基づき情報を読み取る読取部３と、全体の動作を制御する制御部２０、ＭＴＤプレーヤ２１、Ｋｅｙ管理システム２２、Ｋｅｙストレージ２３及び赤外線受信装置（ＩＲ）２４から構成される。また、プレーヤ２は、リモコン２５とディスプレイ２６とで、ユーザに対する入出力を備え、ユーザからの指示を、リモコン２５により入力し、ＩＲ２４で受信し、それをＭＴＤプレーヤ２１又はＫｅｙ管理システム２２に伝える。
【００１６】
Ｋｅｙ管理システム２２は、ＩＲ２４で受信した鍵情報を、Ｋｅｙ管理情報１ｂの内容に応じて、Ｋｅｙストレージ２３の所定の場所へ格納する。
【００１７】
ＭＴＤプレーヤ２１は、リモコン２５からのユーザの指示により、情報記憶媒体１からＭＴＤコンテンツ１ａを読み取り、Ｋｅｙストレージ２３に格納される鍵情報により、暗号化されたコンテンツを復号し、タイトルの再生を行い、ディスプレイ２６へ表示する。また、レジスタ２１ｂを有しており、図１５及び図１６に後述するキー情報用システムパラメータ等が格納されており、任意のタイトルに対応する鍵情報がすでに存在するか否かを示すパラメータが格納されている。
【００１８】
図４は、図３で説明したＭＴＤプレーヤ２１のシステムモデルの一例を示す説明図である。同図に示す様に、情報記憶媒体１のディスクには、ＭＴＤゾーン１３１内のＭＴＤビデオ１３１０、ＤＶＤビデオＣ２、１３１１及びＤＶＤビデオゾーン１２に、夫々のコンテンツが格納されている。ＭＴＤプレーヤ２１内部には、これらのコンテンツを再生するために、仮想的に３つのプレーヤが存在する。
【００１９】
第１のプレーヤは、ＭＴＤビデオ１３１０のコンテンツ全部及びＤＶＤビデオＣ２、１３１１及びＤＶＤビデオゾーン１２内の指定されたタイトルを再生するためのＭＴＤビデオプレーヤ２１０、第２のプレーヤは、ＤＶＤビデオＣ２、１３１１のコンテンツ全部（ディレクトリ指定）を再生するためのＤＶＤビデオＣ２プレーヤ２１１、第３のプレーヤは、ＤＶＤビデオゾーン１２のコンテンツ全部（ディレクトリ指定）を再生するためのＤＶＤビデオプレーヤ２１２から構成される。
【００２０】
図５は、ＭＴＤビデオ、ＤＶＤビデオ及びＤＶＤビデオＣ２間の遷移の一例を示す説明図である。同図に示す様に、ユーザが指定したタイトルを再生する場合に、ＭＴＤビデオ１３１０内のＭＴＤタイトルサーチポインタテーブル（ＭＴＤ＿ＴＴ＿ＳＲＰＴ）３２内のＭＴＤタイトルサーチポインタ（ＭＴＤ＿ＴＴ＿ＳＲＰ）３２２により、所定のタイトルをサーチし、再生する。この時、ＭＴＤ＿ＴＴ＿ＳＲＰ内のタイトルタイプにより、遷移先が決まる。タイプＡの場合は、ＭＴＤビデオ１３１０内のタイトルを再生する。タイプＢの場合は、ＤＶＤビデオＣ２、１３１１へ遷移し、ＤＶＤビデオＣ２内のタイトルを再生する。タイプＣの場合は、ＤＶＤビデオ１２へ遷移し、ＤＶＤビデオ内のタイトルを再生する。
【００２１】
図６は、本発明の情報記憶媒体１に含まれるＭＴＤタイトルサーチポインタテーブル（ＭＴＤ＿ＴＴ＿ＳＲＰＴ）３２の一例を示す説明図である。同図に示す様に、ＭＴＤ＿ＴＴ＿ＳＲＰＴ３２は、１つ以上のＭＴＤ＿ＴＴ＿ＳＲＰ３２２から構成され、最大９９個である。図５で示した様に、ＭＴＤ＿ＴＴ＿ＳＲＰ３２２内のタイトルタイプにより、ＭＴＤビデオ１３１０、ＤＶＤビデオＣ２，１３１１及びＤＶＤビデオ１２から再生するタイトルを決定する。
【００２２】
図７は、Ｋｅｙストレージ２３の構造の一例を示す説明図である。同図に示す様に、Ｋｅｙストレージ２３は、９９個の配列を持つテーブルである。Ｋｅｙストレージ２３は、ＭＴＤビデオのＶＴＳ番号に対応するタイトルキー（ＶＴＳ単位のタイトルキー）、又は、ＤＶＤビデオＣ２（ＳＵＢ＃＃＿ＴＳディレクトリ：図８参照）に対応するタイトルキー（ＤＶＤビデオＣ２単位のタイトルキー）を格納する。ここで、タイトルキーとは、暗号化されたコンテンツを復号する鍵情報である。
【００２３】
実際のタイトルキーの格納は、ＭＴＤ＿ＴＴ＿ＳＲＰＴ３２の記述順番であるタイトル番号の順番に従って格納される。
【００２４】
図８は、本発明の情報記憶媒体１のディレクトリの構成の一例を示す説明図である。同図に示す様に、従来のＤＶＤビデオ関連のファイルは、ＶＩＤＥＯ＿ＴＳディレクトリ１２に格納され、ＭＴＤビデオ関連のファイルは、ＭＴＤ＿ＴＳディレクトリ１３直下に格納される。また、ＤＶＤビデオＣ２コンテンツを構成するファイルは、ＭＴＤ＿ＴＳディレクトリ１３下に、ＳＵＢ＃＃＿ＴＳ（＃＃は、０１〜９８の範囲で、０１からの連続番号で示す）１３１１の名称でサブディレクトリを構成し、そのサブディレクトリ直下に格納される。
【００２５】
図９は、ＭＴＤビデオ１３１０内のビデオマネージャ（ＶＭＧ）に含まれるビデオマネージャ情報（ＶＭＧＩ）及びＭＴＤタイトルサーチポインタテーブル３２のデータ構造の一例を示す説明図である。同図に示す様に、ＶＭＧＩは、ビデオマネージャ情報管理テーブル（ＶＭＧＩ＿ＭＡＴ）３１、ＭＴＤタイトルサーチポインタテーブル（ＭＴＤ＿ＴＴ＿ＳＲＰＴ）３２、ビデオマネージャメニューＰＧＣＩユニットテーブル（ＶＭＧＩ＿ＰＧＣＩ＿ＵＴ）３３、パレンタル管理情報テーブル（ＰＴＬ＿ＭＡＩＴ）３４、ビデオタイトルセット属性情報テーブル（ＶＴＳ＿ＡＴＲＴ）３５、テキストデータマネージャ（ＴＸＴＤＴ＿ＭＧ）３６、ビデオマネージャメニューセルアドレステーブル（ＶＭＧＭ＿Ｃ＿ＡＤＴ）３７、ビデオマネージャメニュービデオオブジェクトユニットアドレスマップ（ＶＭＧＭ＿ＶＯＢＵ＿ＡＤＭＡＰ）３８から構成される。
【００２６】
ビデオマネージャ情報管理テーブル（ＶＭＧＩ＿ＭＡＴ）３１の内容は、図１０で後述する。ＭＴＤタイトルサーチポインタテーブル（ＭＴＤ＿ＴＴ＿ＳＲＰＴ）３２は、さらにＭＴＤタイトルサーチポインタテーブル情報（ＭＴＤ＿ＴＴ＿ＳＲＰＴＩ）３２１及び１つ以上、最大９９のタイトル用ＭＴＤタイトルサーチポインタ（ＭＴＤ＿ＴＴ＿ＳＲＰ＃）３２２から構成される。ビデオマネージャメニューＰＧＣＩユニットテーブル（ＶＭＧＩ＿ＰＧＣＩ＿ＵＴ）３３は、言語別にメニュー用ＰＧＣを分けて記述することができる。例えば、英語のＰＧＣＩユニットと、日本語のＰＧＣＩユニットに分けることで、言語に応じてメニューを再生させることができる。パレンタル管理情報テーブル（ＰＴＬ＿ＭＡＩＴ）３４、設定されるレベルに応じて視聴制限が行え、例えば、親が子供に対して、視聴レベルを設定して、暴力場面や性的場面の視聴を制限させることができる。ビデオタイトルセット属性情報テーブル（ＶＴＳ＿ＡＴＲＴ）３５は、各ＶＴＳの属性情報の集合体である。テキストデータマネージャ（ＴＸＴＤＴ＿ＭＧ）３６は、各タイトルの付加情報をテキストベースで与える。ビデオマネージャメニューセルアドレステーブル（ＶＭＧＭ＿Ｃ＿ＡＤＴ）３７は、ＶＭＧメニューを構成するセルのアドレス情報が記述される。ビデオマネージャメニュービデオオブジェクトユニットアドレスマップ（ＶＭＧＭ＿ＶＯＢＵ＿ＡＤＭＡＰ）３８は、ＶＭＧメニューを構成するＶＯＢＵ毎のアドレスマップが記述される。
【００２７】
図１０は、図９で示したビデオマネージャ情報管理テーブル（ＶＭＧＩ＿ＭＡＴ）３１の内容の一例を示す説明図である。ビデオマネージャ情報管理テーブル（ＶＭＧＩ＿ＭＡＴ）３１内には、ＭＴＤビデオ規格のバージョン情報、ＭＴＤ＿ＴＴ＿ＳＲＰＴの先頭アドレス情報を含む各テーブルへのアドレス情報やメニュー用の再生データのストリーム数やその属性情報を含んでいる。また、ＶＭＧメニュー用の鍵情報（ＶＭＧＭ＿ＫＥＹ）を予め情報記憶媒体１のディスクに格納する領域を有している。
【００２８】
図１１は、図９で示したＭＴＤタイトルサーチポインタテーブル情報（ＭＴＤ＿ＴＴ＿ＳＲＰＴＩ）３２１の内容の一例を示す説明図である。ここには、ＭＴＤタイトルサーチポインタの数（ＭＴＤ＿ＴＴ＿ＳＲＰ＿Ｎｓ）及びＭＴＤ＿ＴＴ＿ＳＲＰＴの終了アドレス（ＭＴＤ＿ＴＴ＿ＳＲＰＴ＿ＥＡ）が記述される。
【００２９】
図１２は、図９で示したＭＴＤタイトルサーチポインタ（ＭＴＤ＿ＴＴ＿ＳＲＰ＃）３２２の内容の一例を示す説明図である。ここには、ＭＴＤタイトルタイプ（ＭＴＤ＿ＴＴ＿ＴＹ）が記述され、ＭＴＤタイトルタイプ以降のデータ構造は、ＭＴＤタイトルタイプによって定義される。ＭＴＤタイトルタイプがタイプＡならば、図１３のデータ構造となり、タイプＢ又はタイプＣならば、図１４のデータ構造となる。
【００３０】
図１３は、図１２で説明したように、ＭＴＤタイトルタイプが、タイプＡの場合のＭＴＤタイトルタイプに続く、ＭＴＤタイトルサーチポインタのデータ構造３２２ａの一例を示す説明図である。ここには、タイトル再生タイプ（ＴＴ＿ＰＢ＿ＴＹ）、タイトル内のアングル数（ＡＧＬ＿Ｎｓ）、チャプタに相当するＰａｒｔ＿ｏｆ＿Ｔｉｔｌｅｓの数（ＰＴＴ＿Ｎｓ）、タイトル用のＰａｒｅｎｔａｌ＿ＩＤ＿Ｆｉｅｌｄ（ＴＴ＿ＰＴＬ＿ＩＤ＿ＦＬＤ）、ＶＴＳの番号（ＶＴＳＮ）、ＶＴＳ内のタイトル番号（ＶＴＳ＿ＴＴＮ）及びＶＴＳの先頭アドレス（ＶＴＳ＿ＳＡ）から成る。
【００３１】
図１４は、図１２で説明したように、ＭＴＤタイトルタイプが、タイプＢ又はタイプＣの場合のＭＴＤタイトルタイプに続く、ＭＴＤタイトルサーチポインタのデータ構造３２２ｂの一例を示す説明図である。ここには、サブディレクトリの番号（ＤＩＲＮ）、ディレクトリ内のタイトル番号（ＤＩＲ＿ＴＴＮ）、タイトル開始前のプリコマンド（ＰＲＥ＿ＣＭＤ）及びタイトル終了後のポストコマンド（ＰＯＳＴ＿ＣＭＤ）から構成される。さらに、サブディレクトリの番号（ＤＩＲＮ）は、ＭＴＤタイトルタイプが、タイプＢの場合は、ディレクトリの番号（ＤＩＲＮ）には、図８で示した様に、ＭＴＤ＿ＴＳディレクトリ１３下のサブディレクトリであるＳＵＢ＃＃＿ＴＳディレクトリ１３１１の番号「＃＃」を指定する。また、タイプＣの場合は、ＶＩＤＥＯ＿ＴＳディレクトリ１２の番号として、ＳＵＢ＃＃＿ＴＳディレクトリ１３１１と区別するために、「０」を指定する。
【００３２】
図１５は、ＭＴＤタイトルサーチポインタテーブル（ＭＴＤ＿ＴＴ＿ＳＲＰＴ）３２内のプリコマンド又はポストコマンド領域で、鍵情報の取得有無を確認するために用いられる鍵情報用システムパラメータ（ＳＰＲＭ）４１を示す説明図である。この鍵情報システムパラメータ（ＳＰＲＭ）４１は、図３のＭＴＤプレーヤ２１に含まれるレジスタ２１ｂの記憶領域に格納され、コマンド領域からパラメータ番号で参照される。図１５に示すように、この鍵情報用システムパラメータ（ＳＰＲＭ）４１は、鍵情報１（ＫＥＹ＿ＩＮＦ１）〜鍵情報７（ＫＥＹ＿ＩＮＦ７）までの７つのシステムパラメータがある。
【００３３】
図１６は、１つの鍵情報用システムパラメータ４１の内容の一例を示す説明図である。同図に示す様に、鍵情報用システムパラメータ４１は、１６ビットで構成され、この例では、夫々のビットはタイトル１〜１６までの鍵情報の取得状況に対応し、「０」の場合は、「鍵情報未取得」、「１」の場合は、「鍵情報取得済」を示す。７つの鍵情報用システムパラメータ４１で、最大９９までのタイトルの鍵情報の取得状況が確認できる。
【００３４】
（鍵情報有無判定処理）
次に、本発明の一実施形態である鍵情報有無判定処理の一例を図面を用いて説明する。図１７は、鍵情報用システムパラメータ４１を用いた条件分岐の概要を説明する図である。同図において、タイトル＃ｎの再生指示が出ると、再生開始前に、記録媒体１中のＭＴＤ＿ＴＴ＿ＳＲＰＴ３２において、＃ｎ番目のＭＴＤ＿ＴＴ＿ＳＲＰ３２２のプリコマンドを実行する。プリコマンドにおいて、指定されたタイトル番号＃ｎの鍵取得情報を格納した鍵情報用システムパラメータ４１を用いて、鍵情報の有無を判定する（比較コマンドを実行）。
【００３５】
鍵情報が取得済と判定された場合には、プレーヤ２のＫｅｙストレージ２３に格納されている鍵情報を用いて復号し、タイトル＃ｎを再生する（タイトル＃ｎの再生画面５１）。鍵情報が未取得の場合は、Ｋｅｙ管理情報１ｂのデータを利用して、表１に示したタイトル名、コンテンツ番号と共に、鍵情報取得画面を表示（タイトル＃ｎのキー取得画面５２）し、鍵情報の取得を促す。なお、図１７の例では、プリコマンドで使用しているが、ポストコマンドで用いても良い。
【００３６】
次に、本発明の一実施形態である鍵情報有無判定処理の一例を図１８のフローチャートを用いて説明する。図１８は、図１７で示した鍵情報取得状況による分岐概要の一例を示したフローチャートである。なお、以下の図１８及び図１９のフローチャートの各ステップは、回路ブロックに置き換えることができ、従って、各フローチャートのステップは、全てブロックに定義しなおすことが可能である。
【００３７】
図１８のフローチャートにおいて、初めに、ユーザがリモコン２５等を用いて、任意のタイトルを指定することで、タイトル＃ｎのタイトル再生指示する（ステップＳ１１）。これに応じて、プレーヤ２３の制御部２０は、記録媒体１内のＭＴＤ＿ＴＴ＿ＳＲＰＴ３２内のタイトル＃ｎのＭＴＤ＿ＴＴ＿ＳＲＰのプリコマンドを実行する（ステップＳ１２）。このコマンドに応じて、プレーヤ２３の制御部２０は、タイトル＃ｎの鍵取得状況を格納した鍵情報用システムパラメータ（ＳＰＲＭ）４１の対応するビットをチェックする（ステップＳ１３）。
【００３８】
そして、プレーヤ２３の制御部２０は、対応ビットの値が「１」か否かを判定する（ステップＳ１４）。対応ビットの値が「１」（鍵情報取得済）の場合、プレーヤ２３の制御部２０は、図１９のフローチャートに後述する手順でタイトルのタイプを判定する（ステップＳ１５）。そして、このタイトルタイプに応じて、Ｋｅｙストレージ２３から、タイトル＃ｎの鍵情報を取得し、タイトル＃ｎの再生を実行することで再生画面５１を実現する（ステップＳ１６）。
【００３９】
一方、ステップＳ１４において、判定結果が「０」（鍵情報未取得）の場合、プレーヤ２３の制御部２０は、タイトル＃ｎの鍵情報取得画面５２を表示するべく画面情報を生成して、ユーザに鍵情報の取得を促す（ステップＳ１７）。
【００４０】
このように、タイトルの再生指示があるとプリコマンドにより、指定されたタイトル番号＃ｎの鍵取得情報を格納した鍵情報用システムパラメータ４１を用いて、鍵情報の有無を判定することで、鍵情報の有無に従った効率的な処理が可能となる。
【００４１】
（タイトルタイプ判定処理）
次に、上述したタイトルタイプ判定処理を図１９のフローチャートを用いて説明する。図１９は、本発明の一実施形態に係るマルチタイトルディスクプレイヤーにおけるＭＴＤタイトルの再生手順中のタイトルタイプ判定手順の一例を示すフローチャートである。
【００４２】
初めに、ユーザがリモコン２５等を用いて、任意のタイトルを指定することで、タイトル＃ｎのタイトル再生指示がある（ステップＳ２１）。これに対して、プレーヤ２３の制御部２０は、ＭＴＤ＿ＴＴ＿ＳＲＰ＃ｎのＭＴＤタイトルタイプ（ＭＴＤ＿ＴＴ＿ＴＹ）を取得する（ステップＳ２２）。そして、ＭＴＤ＿ＴＴ＿ＴＹの値が「０１ｂ」か判定する（ステップＳ２３）。ステップＳ２３の判定結果が「０１ｂ」（タイプＡ）の場合、タイプＡのタイトルと判定し、ＭＴＤタイトルタイプに続く所定バイトを図１３に示すデータ構造で処理する（ステップＳ２４）。
【００４３】
ステップＳ２３の判定結果が「０１ｂ」（タイプＡ）でない場合、ＭＴＤ＿ＴＴ＿ＴＹの値が「１０ｂ」か否かを判定する（ステップＳ２５）。この判定結果が「１０ｂ」（タイプＢ）の場合、タイプＢのタイトルと判定し、ＭＴＤタイトルタイプに続く所定バイトを図１４に示すデータ構造で処理する（ステップＳ２６）
ステップＳ２４の判定結果が「１０ｂ」（タイプＢ）でない場合、ＭＴＤ＿ＴＴ＿ＴＹの値が「１１ｂ」か判定する（ステップＳ２７）。この判定結果が「１１ｂ」（タイプＣ）の場合、タイプＣのタイトルと判定し、ＭＴＤタイトルタイプに続く所定バイトを図１４に示すデータ構造で処理する（ステップＳ２８）。
【００４４】
ステップＳ２７の判定結果が「１１ｂ」（タイプＣ）でない場合、タイトルタイプが不明であって、エラー処理する（ステップＳ２９）。このようにして得られた判断結果は、上述したように、図１８のステップＳ１６の工程の中で用いられる。
【００４５】
以上説明したように、本発明の一実施形態によれば、記録媒体１中のＭＴＤタイトルサーチポインタ（ＭＴＤ＿ＴＴ＿ＳＲＰ）３２２に、ＭＴＤタイトルタイプ（ＭＴＤ＿ＴＴ＿ＴＹ）を設けたことにより、異なるゾーン（ＤＶＤビデオゾーン１２）又はＭＴＤゾーン１３１中のＭＴＤビデオコンテンツ１３１０と、ＤＶＤビデオＣ２コンテンツ１３１１に格納されるタイトルを、同じタイトルサーチポインタ構造で定義することが可能となる。
【００４６】
これにより、同一メニュー又はタイトルサーチ機能を用いて、ユーザが異なるゾーンに跨るタイトルを容易に指定し再生することができる。
【００４７】
また、記録媒体１中のＭＴＤタイトルサーチポインタ（ＭＴＤ＿ＴＴ＿ＳＲＰ）３２２に、コマンド３２２ｂを設けたことで、ユーザからのタイトルの再生指示に応じて、指定されたタイトル番号＃ｎの鍵取得情報を格納した鍵情報用システムパラメータ４１を用いて、鍵情報の有無を判定することにより、鍵情報の有無に従った効率的な再生処理が可能となる。
【００４８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４９】
【図１】本発明の一実施形態であるマルチタイトルディスクシステムに用いる情報記憶媒体１のボリューム構造の一例を示す構造図。
【図２】本発明の一実施形態に係るマルチタイトルディスクシステムに用いる情報記憶媒体のボリューム空間の配置の一例を示す説明図。
【図３】本発明の一実施形態に係るマルチタイトルディスクシステムの一例を示す説明図。
【図４】本発明の一実施形態に係るマルチタイトルディスクシステムの他の一例を示す説明図。
【図５】本発明の一実施形態に係るマルチタイトルディスクシステムにおけるＭＴＤビデオ、ＤＶＤビデオ及びＤＶＤビデオＣ２間の遷移を説明する説明図。
【図６】本発明の一実施形態に係るマルチタイトルディスクプレイヤーのサーチポインタテーブルの一例を示す説明図。
【図７】本発明の一実施形態に係るマルチタイトルディスクプレイヤーのキーストレージの構造の一例を示す説明図。
【図８】本発明の一実施形態に係るマルチタイトルディスクのディレクトリの構成の一例を示す説明図。
【図９】本発明の一実施形態に係るマルチタイトルディスクにおけるＭＴＤビデオ１３１０内のビデオマネージャ（ＶＭＧ）に含まれるビデオマネージャ情報（ＶＭＧＩ）及びＭＴＤタイトルサーチポインタテーブル３２のデータ構造の一例を示す説明図。
【図１０】本発明の一実施形態に係るマルチタイトルディスクにおけるＭＴＤビデオ１３１０内のビデオマネージャ（ＶＭＧ）に含まれるビデオマネージャ情報（ＶＭＧＩ）の管理テーブルの一例を示す説明図。
【図１１】本発明の一実施形態に係るマルチタイトルディスクにおけるＭＴＤビデオ１３１０内のＭＴＤタイトルサーチポインタテーブル３２のデータ構造の一例を示す説明図。
【図１２】本発明の一実施形態に係るマルチタイトルディスクにおけるＭＴＤビデオ１３１０内のＭＴＤタイトルサーチポインタの一例を示す説明図。
【図１３】本発明の一実施形態に係るマルチタイトルディスクにおけるＭＴＤビデオ１３１０内のＭＴＤタイトルサーチポインタ（タイプＡ）の一例を示す説明図。
【図１４】本発明の一実施形態に係るマルチタイトルディスクにおけるＭＴＤビデオ１３１０内のＭＴＤタイトルサーチポインタ（タイプＢ及びタイプＣ）の一例を示す説明図。
【図１５】本発明の一実施形態に係るマルチタイトルディスクにおけるＭＴＤタイトルサーチポインタテーブル（ＭＴＤ＿ＴＴ＿ＳＲＰＴ）３２内のプリコマンド又はポストコマンド領域で、鍵情報の取得有無を確認するために用いられる鍵情報用システムパラメータ（ＳＰＲＭ）４１の一例を示す説明図。
【図１６】本発明の一実施形態に係るマルチタイトルディスクにおけるＭＴＤタイトルサーチポインタテーブル（ＭＴＤ＿ＴＴ＿ＳＲＰＴ）３２内のプリコマンド又はポストコマンド領域で、鍵情報の取得有無を確認するために用いられる鍵情報用システムパラメータ（ＳＰＲＭ）４１の一例を示す説明図。
【図１７】本発明の一実施形態に係るマルチタイトルディスクシステムにおける鍵情報用システムパラメータ（ＳＰＲＭ）４１の有無に応じた条件分岐の一例を示す説明図。
【図１８】本発明の一実施形態に係るマルチタイトルディスクプレイヤーにおけるＭＴＤタイトルの再生手順の一例を示すフローチャート。
【図１９】本発明の一実施形態に係るマルチタイトルディスクプレイヤーにおけるＭＴＤタイトルの再生手順中のタイトルタイプ判定手順の一例を示すフローチャート。
【符号の説明】
【００５０】
１…光ディスク、２…プレーヤ、３…読取部、２１…ＭＴＤプレーヤ、２２…Ｋｅｙ管理システム、２３…キーストレージ、２４…ＩＲ、２５…リモコン、２６…ディスプレイ。
【図１】
2008112505.tif 000004
【図２】
2008112505.tif 000005
【図３】
2008112505.tif 000006
【図４】
2008112505.tif 000007
【図５】
2008112505.tif 000008
【図６】
2008112505.tif 000009
【図７】
2008112505.tif 000010
【図８】
2008112505.tif 000011
【図９】
2008112505.tif 000012
【図１０】
2008112505.tif 000013
【図１１】
2008112505.tif 000014
【図１２】
2008112505.tif 000015
【図１３】
2008112505.tif 000016
【図１４】
2008112505.tif 000017
【図１５】
2008112505.tif 000018
【図１６】
2008112505.tif 000019
【図１７】
2008112505.tif 000020
【図１８】
2008112505.tif 000021
【図１９】
2008112505.tif 000022